(57)【要約】【課題】単独のカートンとした場合にも意匠性を損ねることがなく、また、店頭でのディスプレイの際に、デザインの異なる多様なディスプレイを可能とし、需要者に斬新な印象を与えるとともに、購買意欲を喚起することができる衛生用紙収納用カートンを提供する。【解決手段】上面２、底面、一対の側面６Ａ，６Ｂ及び一対の妻面の６面を有し、前記６面によって、衛生用紙が収納される内部空間が区画形成された箱状を呈し、前記６面のうち少なくとも２面にデザインが表され、一の面１０Ａに表された第１デザイン２０と、他の面１０Ｂに表された第２デザイン２２とを組み合わせることにより、全体として一つにまとまった第３デザイン２４が形成される衛生用紙収納用カートン１Ａ，１Ｂ。【選択図】図１
2009149370.tif 000002
【特許請求の範囲】
【請求項１】
上面、底面、一対の側面及び一対の妻面の６面を有し、前記６面によって、衛生用紙が収納される内部空間が区画形成された箱状を呈し、
前記６面のうち少なくとも２面にデザインが表され、
一の面に表された第１デザインと、他の面に表された第２デザインとを組み合わせることにより、全体として一つにまとまった第３デザインが形成される衛生用紙収納用カートン。
【請求項２】
少なくとも一の側面に表された第１デザインと、前記上面に表された第２デザインとを組み合わせることにより、全体として一つにまとまった第３デザインが形成される請求項１に記載の衛生用紙収納用カートン。
【請求項３】
前記上面に、前記衛生用紙の取出口を形成するための取出口形成用切込線が形成されており、
前記第２デザインが、前記上面のうち、前記取出口形成用切込線の外周側の領域に表されている請求項２に記載の衛生用紙収納用カートン。
【請求項４】
前記６面のうち、前記第１デザインが表された面及び前記第２デザインが表された面以外の面に、前記第３デザインが表されている請求項１〜３のいずれか一項に記載の衛生用紙収納用カートン。
【発明の詳細な説明】
【技術分野】
【０００１】
本発明はティシュペーパー等の衛生用紙を収納するための衛生用紙収納用カートンに関するものである。
【背景技術】
【０００２】
家庭やオフィス等で使用されるティシュペーパー等の衛生用紙は、概ね直方体の箱（以下、「カートン」と記す。）の内部空間に収納された形で市販されている（カートン入り衛生用紙）。このようなカートン入り衛生用紙は、１個１個のカートンを単独で、或いは複数個のカートンを積層し、フィルムに包装したマルチパックの状態で店頭に陳列され、市販されている。
【０００３】
このようなカートン入り衛生用紙として、市販の際の見栄えをよくする等の目的で、複数のカートンの側面に互いに異なる第１の図柄が付され、この複数のカートンを積層した際に第１の図柄が合わさって、複数のカートン全体として一つのまとまりある第２の図柄が形成される家庭用薄葉紙収納箱積層体が提案されている（特許文献１参照）。
【０００４】
【特許文献１】特開２００５−１５３８９８号公報
【発明の開示】
【発明が解決しようとする課題】
【０００５】
しかしながら、特許文献１に記載の家庭用薄葉紙収納箱積層体としては、５個のカートンが積層された状態となって初めて、一つのまとまりある第２の図柄を形成するものが例示されており（特許文献１図４、図６参照）、個別のカートンに小分けした際には、第２の図柄が分断されてしまうという問題があった。このような構成では、単独のカートンとした場合の意匠性を損ねるおそれがあり好ましくない。
【０００６】
また、５個のカートンが特定の順序で積層されなければ、第２の図柄が形成されないため、そのマルチパックにおける第２の図柄は１種のみであり、デザインが固定的なものとなってしまうという問題もあった。このような構成では、店頭でバリエーションに富んだディスプレイを行うことができないため、需要者に斬新な印象を与え、購買意欲を喚起することが困難であった。
【０００７】
本発明は、このような従来技術の有する問題点に鑑みてなされたものであり、単独のカートンとした場合にも意匠性を損ねることがなく、また、店頭でのディスプレイの際に、デザインの異なる多様なディスプレイを可能とし、需要者に斬新な印象を与えるとともに、購買意欲を喚起することができる衛生用紙収納用カートンを提供するものである。
【課題を解決するための手段】
【０００８】
本発明者は上記課題を解決するために鋭意検討した結果、カートンを構成する６面のうち一の面と他の面に異なるデザインを施し、これらのデザインを組み合わせた際に新たなデザインを表出させることによって、上記課題を解決することができることを見出し、本発明を完成するに至った。即ち、本発明によれば、以下に示す衛生用紙収納用カートンが提供される。
【０００９】
［１］  上面、底面、一対の側面及び一対の妻面の６面を有し、前記６面によって、衛生用紙が収納される内部空間が区画形成された箱状を呈し、前記６面のうち少なくとも２面にデザインが表され、一の面に表された第１デザインと、他の面に表された第２デザインとを組み合わせることにより、全体として一つにまとまった第３デザインが形成される衛生用紙収納用カートン。
【００１０】
［２］  少なくとも一の側面に表された第１デザインと、前記上面に表された第２デザインとを組み合わせることにより、全体として一つにまとまった第３デザインが形成される前記［１］に記載の衛生用紙収納用カートン。
【００１１】
［３］  前記上面に、前記衛生用紙の取出口を形成するための取出口形成用切込線が形成されており、前記第２デザインが、前記上面のうち、前記取出口形成用切込線の外周側の領域に表されている前記［２］に記載の衛生用紙収納用カートン。
【００１２】
［４］  前記６面のうち、前記第１デザインが表された面及び前記第２デザインが表された面以外の面に、前記第３デザインが表されている前記［１］〜［３］のいずれかに記載の衛生用紙収納用カートン。
【発明の効果】
【００１３】
本発明の衛生用紙収納用カートンは、単独のカートンとした場合にも意匠性を損ねることがなく、また、店頭でのディスプレイの際に、デザインの異なる多様なディスプレイを可能とし、需要者に斬新な印象を与えるとともに、購買意欲を喚起することができる。
【発明を実施するための最良の形態】
【００１４】
［１］本発明の特徴部分の構成：
本発明の衛生用紙収納用カートンは、例えば、図１〜図５に示す衛生用紙収納用カートン１Ａのように、上面２、底面４、一対の側面６Ａ，６Ｂ及び一対の妻面８の６面を有し、前記６面によって、衛生用紙が収納される内部空間が区画形成された箱状を呈し、前記６面のうち少なくとも２面にデザインが表され、一の面１０Ａに表された第１デザイン２０と、他の面１０Ｂに表された第２デザイン２２とを組み合わせることにより、全体として一つにまとまった第３デザイン２４が形成されるものである。
【００１５】
このような構成では、一の面（例えば、側面）には、個別のカートンに小分けした際に独立して成立するデザインを表しておくことができる。従って、単独のカートンとした場合にもその意匠性を損ねることがない。
【００１６】
また、一の面（例えば、側面）と、他の面（例えば、上面）のデザインとを組み合わせることによって、新たに第３デザインが形成されるので、デザインのバリエーションが豊富になる。
【００１７】
特に、２つのカートンの組み合わせで、第３デザインを形成することができるので、例えば、５個１セットのマルチパックであれば、複数種のデザインを形成することも可能となり、デザインが固定的なものとなってしまうことが少ない。従って、店頭でのディスプレイの際に、デザインの異なる多様なディスプレイを可能とし、需要者に斬新な印象を与えるとともに、購買意欲を喚起することができる。
【００１８】
また、図１及び図５に示すように、カートンを置く向きを変えるだけで、デザインを気軽に変更することができるため、インテリアとしても有用である。図示の例では、衛生用紙の取出口形成用切込線１４が形成された上面２に第２デザイン２２を表しているので、図１に示すように、衛生用紙収納用カートン１Ｂの上面２を手前側に配置することで、取出口の開封後もティシュペーパーを容易な取出しを確保しつつ、デザインのバリエーションを楽しむことができる。
【００１９】
本発明の衛生用紙収納用カートンは、カートンを構成する６面のうち少なくとも２面にデザインが表されている。この「２面」はどの面であってもよいが、平行な２面ではなく、交差する２面であることが好ましい。中でも、側面と上面であることが特に好ましい。側面と上面は妻面や底面と比較してデザインを表すために十分な広い面積を有しているためである。底面は、上面と同等の面積を有するものの、品質表示や説明書きに使用される面積が大きいため、デザインを表すための面積が小さくなり易い。
【００２０】
但し、側面の第１デザインと上面の第２デザインに加えて、底面に第４デザインを表した場合には、３個のカートンの組み合わせにより、更に豊富なデザインバリエーションを形成することが可能となるという利点がある。この場合、３つのカートンを用いて、第１デザイン、第２デザイン及び第４デザインを組み合わせることで、一つの第３デザインを形成するようにしてもよいし、２つのカートンを用いて、第１デザインと第２デザイン、第２デザインと第４デザイン、又は第１デザインと第４デザインを組み合わせることで、複数の第３デザインを形成可能に構成してもよい。
【００２１】
一の面に表された第１デザインは、個別のカートンに小分けした際に独立して成立するデザインを表しておくことが好ましい。こうすることにより、単独のカートンとした場合にもその意匠性を損ねることがない。
【００２２】
他の面に表された第２デザインは、第１デザインと組み合わせた際に、全体として一つにまとまった第３デザインを形成し得るものとする。こうすることにより、デザインのバリエーションが豊富になる。より具体的には、店頭でのディスプレイの際に、単にカートンを積層してディスプレイすると、第１デザインが上下に連続して表されるのに対し、一の面（例えば、側面）と、他の面（例えば、上面）とが連続するようにカートンを積層してディスプレイすると、第１デザインと第２デザインとが組み合わされて、全体として一つにまとまった第３デザインが形成される。従って、デザインの異なる多様なディスプレイが可能となり、需要者に斬新な印象を与えるとともに、購買意欲を喚起することができる。
【００２３】
また、カートンの上面に、衛生用紙の取出口を形成するための取出口形成用切込線が形成されている場合には、第２デザインが、上面のうち、取出口形成用切込線の外周側の領域に表されていることが好ましい。前記領域に第２デザインを表すことにより、取出口形成用切込線を切り離して取出口を形成した後も第２デザインが破壊されず、意匠性を損ねることがない。
【００２４】
更に、カートンを構成する６面のうち、第１デザインが表された面及び第２デザインが表された面以外の面に、第３デザインが表されていることも好ましい。予め第１デザインと第２デザインを組み合わせた第３デザインを表しておくことにより、一の面（第１デザインが表された面）と、他の面（第１デザインが表された面）とが連続するようにカートンを積層すれば第３デザインが形成されることをイメージさせることができる。例えば、第１デザインが一の側面に、第２デザインが上面に表されている場合であれば、他の側面、いずれかの妻面又は底面に第３デザインを表せばよい。
【００２５】
なお、図１の例では、カートンの高さよりカートンの奥行きの寸法が長い例を示しているが、カートンの高さと奥行きを同じ寸法とすること（即ち、妻面が正方形となるようにカートンを形成すること）も好ましい。このような構成では、カートンを転回して積層した場合に、いずれの位置でも上層のカートンを安定して配置することができる。従って、商品の陳列の際に、或いはインテリアとして用いる場合に、上層のカートンが落下し難く、安定して載置することができる。また、複数のカートンをフィルムで包装したマルチパックとする際に、包装体全体の形状を変更することなく、カートンの向きを適宜転回することで、デザインの変更を行うことも可能である。
【００２６】
また、同じデザイン（模様）であっても、色違いのカートンを用意することで、より豊富なデザインバリエーションを選択することが可能となる。即ち、第１デザインと第２デザインとを組み合わせる際に、色違いのカートンの上下の配置を入れ替えるだけで、違った印象を与えることができる。
【００２７】
［２］本発明の他の部分の構成：
以下、本発明の衛生用紙収納用カートンの他の部分について説明する。なお、以下の説明においては、説明の便宜上、一対の側面の一方を「正面」、他方を「背面」と記す場合がある。
【００２８】
［２−１］カートン：
カートンは、上面、底面、一対の側面及び一対の妻面の６面を有し、この６面によって、衛生用紙が収納される内部空間が区画形成された箱状を呈している。「箱状」の例としては、例えば、直方体状、立方体状等の六面体状を挙げることができる。これらの形状では、上面と底面、一対の側面同士、一対の妻面同士が対向するように平行に配置される。中でも、直方体状、より具体的には、カートンの側面側を長辺、妻面側を短辺とする直方体状にカートンを構成することが好ましい。なお、前記６面を有する限り、二つの面の稜線部分を面取りしたものも、本明細書にいう「カートン」に含まれる。
【００２９】
カートンは、例えば、図６に示すような、紙材料等からなるカートンブランク１００を折り曲げることによって、上面、底面、一対の側面、及び一対の妻面を有する形状に形成することができる。
【００３０】
図６に示すカートンブランク１００は、一枚の紙材料によって、折り曲げ線を介して上面２、底面４、一対の側面６Ａ，６Ｂが形成されており、側面６Ａ，６Ｂの端縁からは、折り曲げ線を介して内フラップ２６が延出されている。また、上面２の端縁からは、折り曲げ線を介して上面外フラップ２８が延出されており、これと同様に、底面４の端縁からは、折り曲げ線を介して底面外フラップ３０が延出されている。更に、底面４の一の側縁部からは、折り曲げ線を介して、側面接合代３２が延出されており、底面外フラップ３０の先端には上面外フラップ２８との接合代である妻面接合代３４が付設されている。
【００３１】
このようなカートンブランク１００は、各折り曲げ線を折り曲げ、側面接合代３２と側面６Ａを接合した後、妻面接合代３４と上面外フラップ２８を接合することで、一対の妻面８を形成することができる。こうすることにより、カートンブランク１００を、衛生用紙収納用カートンとすることができる。
【００３２】
カートンを構成する材質について特に制限はない。但し、箱体を折り曲げ形成する都合上、厚紙等の紙材料を構成材料とすることが好ましい。一般に、これらの紙材料としては、木材パルプ、古紙等を原料として製造されたものを好適に用いることができる。
【００３３】
［２−２］取出口形成用切込線：
通常、カートンには、衛生用紙の取出口を形成するための取出口形成用切込線が形成されている。使用者は、この切込線を破断することによって取出口を形成することができ、その取出口から衛生用紙を取り出すことが可能となる。
【００３４】
取出口の形状について特に制限はなく、カートンや衛生用紙の形状に応じて適宜選択すればよい。但し、カートンとして直方体状のものが多く用いられるため、その取出口の形状はカートンの長手方向に沿った横長形状とすることが好ましい。従って、取出口の形状としては、例えば、略長方形状、略長円形状、長楕円形状、菱形状、又は多角形状等の形状を挙げることができる。
【００３５】
取出口形成用切込線は、通常、カートンの上面に形成されることが多いが、特にそのような制限があるわけではない。例えば、カートンの底面に形成されていてもよいし、他の面に形成されていてもよい。また、取出口形成用切込線は一の面のみに形成されていなければならないわけではなく、二以上の面（例えば、上面と底面）に形成されていてもよい。
【００３６】
なお、取出口形成用切込線によって包囲された部分（切取片となる部分）には、取出口形成用切込線の二点を繋ぐように、引剥がし用切込線が形成されていてもよい。このような切込線を形成することで、切取片の引き剥がしが容易となる利点がある。例えば、略長方形状の取出口形成用切込線の端部側に、略Ｕ字状の引剥がし用切込線を形成することができる。
【００３７】
上記の取出口用切込線、引剥がし用切込線は、いわゆるミシン目状のものの他、比較的長い切れ目（スリット）が断続的に配置されたものであってもよい。また、ジッパーと称される切れ目が鉤形に屈曲した開封用破断線（包装産業の周知・慣用技術集第２８１頁参照、昭和５３年１２月２０日特許庁発行）や、２重のミシン目であってもよい。
【００３８】
また、カートンには、底面に一対の押上片を形成するための押上片形成用切込線が形成されていてもよい。カートンに収納された衛生用紙の残量が少なくなった際に、底面に形成された押上片形成用切込線を押圧して押し破り、カートンの内側に折り曲げることによって、一対の押上片を形成する。この押上片によって、カートン内部の衛生用紙が上面側に押し上げられるので、上面の取出口から衛生用紙の最後の一枚まで、安定してポップアップさせることが可能である。例えば、底面の中央部にＵ字状の押上片形成用切込線を１対形成することがよく行われる。
【００３９】
［２−３］ウインドウフィルム：
カートンには、取出口をカートンの内側から被覆するように配置され、衛生用紙を取り出すためのスリットが形成されたウインドウフィルムが貼付されていてもよい。取出口の内側からウインドウフィルムを貼り付けると、外部の塵や異物から衛生用紙を保護することができる。また、衛生用紙を外部に取出す際に、ウインドウフィルムに形成されたスリット間の摩擦により、ポップアップした衛生用紙がカートンの内部に落ち込むことが防止され、衛生用紙を取出口から突出させた状態で保持することが可能となる。
【００４０】
ウインドウフィルムの構成材料は特に制限されないが、例えば、ポリエチレン、ポリプロピレン、ポリ塩化ビニル、ポリエステル、ポリビニルアルコール等のプラスチック；グラシン紙、クラフト紙、ケント紙、インディア紙等の印刷用紙、書道用紙、包装紙、加工原紙等の紙；等を好適に用いることができる。また、上記プラスチックとしては、生分解性プラスチックを用いてもよい。
【００４１】
ウインドウフィルムには、透明フィルム、半透明フィルム、不透明フィルム、着色フィルムのいずれもが含まれる。また、文字や模様等が印刷されたフィルムであってもよい。また、フィルムの形状は、カートンの取出口を被覆することができる限りにおいて、どのような形状のものであってもよい。但し、取出口の形状として横長形状のものが汎用されることから、長方形状のフィルムを用いることが好ましい。
【００４２】
スリットは、ウインドウフィルムを貫通する切れ目である。カートン内に収納されたティシュペーパーをはじめとする衛生用紙は、このスリットを通してカートンの外部へ引き出される。通常、ウインドウフィルムの中央部に直線状のスリットが形成される。
【００４３】
ウインドウフィルムは、接着部によってカートンの内側に貼り付けられている。接着部は、例えば、接着剤、両面テープ、熱融着等の方法によって、接着部を形成することができる。通常、接着部は取出口を包囲する環状に配置されている。「環状」とは、ある領域を区画するように、線が連続的に結ばれた形状を意味し、一の曲線が連続的に結ばれた形状のみならず、いくつかの直線が連続的に結ばれた形状も含む。具体的には、略長方形状、略長円形状、長楕円形状、長方形状、菱形状、又は多角形状等を挙げることができる。
【００４４】
［２−４］衛生用紙：
カートンの内部空間には衛生用紙が収納される。衛生用紙の種類について特に制限はなく、例えば、ティシュペーパー（顔ふき紙、化粧紙等と呼ばれるもの）、ちり紙、ペーパータオル（キッチンペーパー等）、トイレットペーパー（ロールを除く）、ワッティング（紙綿）等の使い捨て紙（例えば、紙パルプ技術便覧第５版、第４５９頁参照、１９９２年１月３０日発行、紙パルプ技術協会編集・発行）等を挙げることができる。
【００４５】
中でも、一の衛生用紙が折り畳まれ、その折り返し部分に他の衛生用紙が挟み込まれた状態で折り畳まれることによって、複数枚の衛生用紙が連続的に積層された衛生用紙束を前記内部空間に収納することが好ましい。このような積層構造の衛生用紙は、最上層の衛生用紙を取り出すことにより、これに挟み込まれていた次層の衛生用紙の一部が取出口から突出し、衛生用紙の取出しが容易なものとなる利点がある（いわゆるポップアップ方式）。
【００４６】
［３］製造方法：
本発明の衛生用紙収納用カートンは、上面、底面、一対の側面及び一対の妻面の６面に、所定のデザインが施されたカートンブランクを用意し、カートンブランクの取出口形成用切込線を包囲する位置に接着剤を付着させる。更に、接着剤が乾燥する前に、予めスリットが形成されたウインドウフィルムを所定の位置に配置して貼り付ける。
【００４７】
その後、カートンブランクを折り曲げ線に沿って折り曲げ、側面と底面の側面接合代とを重ね合わせ、その重なり部分を接着剤によって接着することによって妻面側が開放された角筒状とする。次いで、角筒状のカートンブランクの内部空間に衛生用紙が積層された衛生用紙束を装填する。更に、一対の内フラップを折り曲げ線に沿って折り曲げた後、上面外フラップと底面外フラップをその一部が互いに重なり合うように折り曲げ、その重なり部分を接着剤等によって接着することによって、一対の妻面を形成する。このようにして、本発明の衛生用紙収納用カートンを製造することができる。
【実施例】
【００４８】
以下、本発明の衛生用紙収納用カートンについて、図面を参照しながら更に具体的に説明する。但し、本発明の衛生用紙収納用カートンは、以下の実施例に限定されるものではない。
【００４９】
（実施例１）
図１は本発明の衛生用紙収納用カートンの一の使用状態を示す正面図であり、図５は別の使用状態を示す正面図である。図１及び図５に示すＸ−Ｘ’線は、衛生用紙収納用カートン１Ａと衛生用紙収納用カートン１Ｂとの境界線を示している。図２〜図４は本発明の衛生用紙収納用カートンの一の実施形態を示す図であり、図２は平面図、図３は正面図、図４は背面図である。
【００５０】
［１］特徴部分の構成：
図１〜図５に示す衛生用紙収納用カートン１Ａは、上面２、底面４、一対の側面６Ａ，６Ｂ及び一対の妻面８の６面を有し、前記６面によって、衛生用紙が収納される内部空間が区画形成された直方体状を呈している。
【００５１】
前記６面のうち、一の面１０Ａ（側面６Ａ）には、男の子の顔をモチーフとする第１デザイン２０が表されている。一方、他の面１０Ｂ（上面２）には、王冠をモチーフとする第２デザイン２２が表されている。そして、図１に示すように、カートンの側面６Ａとカートンの上面２が連続するように積層して、第１デザイン２０と第２デザイン２２とを組み合わせると、王冠を被った王子様を表した、全体として一つにまとまった第３デザイン２４が形成される。
【００５２】
図３に示すように、一の面（側面６Ａ）に表された第１デザイン２０は、男の子の顔をモチーフとするものであり、個別のカートンに小分けした際に独立して成立するデザインとなっている。そして、図５に示すように、単にカートンを積層してディスプレイすると、男の子の顔をモチーフとする第１デザイン２０が上下に連続して表される。
【００５３】
図１及び図２に示すように、カートンの上面２には、衛生用紙の取出口を形成するための取出口形成用切込線１４が形成されている。そして、王冠をモチーフとする第２デザイン２２は、上面２のうち、取出口形成用切込線１４より外周側の領域に表されおり、取出口形成用切込線１４を切り離して取出口を形成した後も第２デザイン２２が破壊されず、意匠性を損ねることがないように構成されている。
【００５４】
また、図４に示すように、カートンを構成する６面のうち、第１デザイン２０が表された側面６Ａ及び第２デザイン２２が表された上面２以外の面である側面６Ｂには、王冠を被った王子様を表した第３デザイン２４が表されている。これにより、側面６Ａと上面２とが連続するように２つのカートンを積層すれば、第３デザイン２４が形成されることをイメージさせることができる。
【００５５】
［２］他の部分の構成：
以下、衛生用紙収納用カートンの他の部分についても説明する。
【００５６】
［２−１］カートン：
図１〜図５に示す衛生用紙収納用カートン１Ａは、上面２、底面４、一対の側面６Ａ，６Ｂ及び一対の妻面８の６面を有し、この６面によって、衛生用紙が収納される内部空間が区画形成された直方体状を呈している（幅２４５ｍｍ×奥行き１１８ｍｍ×高さ９３ｍｍ）。カートンは、厚紙を構成材料とするものであり、木材パルプを原料として製造されたものである。なお、図１〜図５に示す衛生用紙収納用カートン１Ａは、図６に示すカートンブランク１００から製造した。
【００５７】
［２−２］取出口形成用切込線：
図１〜図５に示す衛生用紙収納用カートン１Ａの上面２には、衛生用紙の取出口の外周形状と一致するように略長方形状の取出口形成用切込線１４が形成されている。そして、取出口形成用切込線１４によって包囲された部分（切取片となる部分）には、取出口形成用切込線１４の二点を繋ぐように、引剥がし用切込線５２が形成されている。この衛生用紙収納用カートン１Ａでは、略長方形状の取出口形成用切込線１４の端部側に、略Ｕ字状の引剥がし用切込線５２が形成されている。
【００５８】
また、衛生用紙収納用カートン１Ａには、底面４に一対の押上片を形成するための押上片形成用切込線が形成されている。図６に示すカートンブランク１００を用いて説明すると、このカートンの場合、底面４の中央部にＵ字状の押上片形成用切込線５４が１対形成されている。取出口形成用切込線１４、引剥がし用切込線５２、押上片形成用切込線５４は、いずれもミシン目状に形成されている。
【００５９】
［２−３］ウインドウフィルム：
カートンには、取出口をカートンの内側から被覆するように配置され、衛生用紙を取り出すためのスリットが形成された、透明ウインドウフィルムが貼付されている。ウインドウフィルムの構成材料は、ポリエチレンである。フィルムの形状は、長方形状（２０５ｍｍ×７３ｍｍ）である。スリットとしては、ウインドウフィルムの中央部に直線状のスリット（長さ１０５ｍｍ）が形成される。
【００６０】
ウインドウフィルムは、接着部によってカートンの内側に貼り付けられている。接着部は、接着剤によって形成されている。そして、接着部は取出口を包囲する直方体状に配置されている。
【００６１】
［２−４］衛生用紙：
カートンの内部空間にはティシュペーパーが収納されている。このティシュペーパーは、いわゆるポップアップ方式の折り畳み構造で折り畳まれ、複数枚の衛生用紙が連続的に積層された衛生用紙束の状態で収納されている（２プライ×２００組）。
【産業上の利用可能性】
【００６２】
本発明の衛生用紙収納用カートンは、ティシュペーパー、キッチンペーパー等のペーパータオル、シート状のトイレットペーパー、ワッティング（紙綿）等の衛生用紙を収納するためのカートンとして好適に用いることができる。
【図面の簡単な説明】
【００６３】
【図１】本発明の衛生用紙収納用カートンの一の使用状態を示す正面図であり、衛生用紙収納用カートンを２個積層した状態を示す図である。
【図２】本発明の衛生用紙収納用カートンの一の実施形態を示す平面図である。
【図３】本発明の衛生用紙収納用カートンの一の実施形態を示す正面図である。
【図４】本発明の衛生用紙収納用カートンの一の実施形態を示す背面図である。
【図５】本発明の衛生用紙収納用カートンの別の使用状態を示す正面図であり、衛生用紙収納用カートンを２個積層した状態を示す図である。
【図６】本発明の衛生用紙収納用カートンを製造するためのカートンブランクの例を示す展開図である。
【符号の説明】
【００６４】
１Ａ，１Ｂ：衛生用紙収納用カートン、２：上面、４：底面、６Ａ，６Ｂ：側面、８：妻面、１０Ａ：一の面、１０Ｂ：他の面、１４：取出口形成用切込線、２０：第１デザイン、２２：第２デザイン、２４：第３デザイン、２６：内フラップ、２８：上面外フラップ、３０：底面外フラップ、３２：側面接合代、３４：妻面接合代、５２：引剥がし用切込線、５４：押上片形成用切込線、１００：カートンブランク。
【図１】
2009149370.tif 000003
【図２】
2009149370.tif 000004
【図３】
2009149370.tif 000005
【図４】
2009149370.tif 000006
【図５】
2009149370.tif 000007
【図６】
2009149370.tif 000008